(57)【要約】【課題】本発明は、ドラムを叩打したときの感触や、ドラムの音質や響きを良くすることのできるドラムの取付装置及びドラムを提供することにある。【解決手段】ブラケット１０は、シェルＳの外周面に固定されるベース１２と、ホルダやドラムスタンドのロッド部分Ｒに固定される固定部材１３と、ベース１２と固定部材１３とを連結するシャフト１４と、固定部材１３をロッド部分Ｒに固定するための固定具とを備えている。シャフト１４は、ベース１２と固定部材１３とを、シェルＳの軸線と直交する水平軸線周りに相対回動可能に連結している。【選択図】図３
2019040122.tif 000002
【特許請求の範囲】
【請求項１】
ドラムが設置される設置物に前記ドラムを取り付けるためのドラムの取付装置であって、
前記ドラムに固定されるベースと、
前記ベースに組み付けられ、前記設置物に設けられた柱状物に固定される固定部材とを備え、
前記ベースと前記固定部材とが、前記ドラムのシェルの軸線と直交する水平軸線周りに相対回動可能に連結されている、ドラムの取付装置。
【請求項２】
請求項１に記載のドラムの取付装置は、更に、
前記ベースと前記固定部材とを連結すると共に水平軸線に沿って延びるシャフトを備える、ドラムの取付装置。
【請求項３】
請求項１又は２に記載のドラムの取付装置は、更に、
前記ベースと前記固定部材との間に配置された振動吸収部材を備える、ドラムの取付装置。
【請求項４】
請求項３に記載のドラムの取付装置において、
前記水平軸線は、前記ベース及び前記固定部材の各上部に位置し、
前記振動吸収部材は、前記水平軸線よりも下方に配置されている、ドラムの取付装置。
【請求項５】
請求項４に記載のドラムの取付装置において、
前記振動吸収部材は、複数の振動吸収部材のうちの一つであり、
前記複数の振動吸収部材は、
前記水平軸線よりも下方に配置される第１振動吸収部材と、
前記水平軸線と前記ベースとの間及び前記水平軸線と前記固定部材との間の少なくともいずれか一方に配置される第２振動吸収部材とを含む、ドラムの取付装置。
【請求項６】
請求項５に記載のドラムの取付装置において、
前記振動吸収部材は、弾性材料からなり、
前記第１振動吸収部材の硬度は、前記第２振動吸収部材の硬度よりも低い、ドラムの取付装置。
【請求項７】
請求項５又は６に記載のドラムの取付装置において、
前記第２振動吸収部材は、前記水平軸線の軸方向に離間した左右一対の振動吸収部を有している、ドラムの取付装置。
【請求項８】
請求項１〜７のうちいずれか一項に記載のドラムの取付装置は、更に、
水平軸線と同位置又は水平軸線よりも上方に位置する前記ベース及び前記固定部材の各部分が接近して、水平軸線周りの前記ベース及び前記固定部材の相対回動を規制する規制部を備える、ドラムの取付装置。
【請求項９】
ドラムであって、
前記ドラムが設置される設置物に前記ドラムを取り付けるための取付装置を備え、
前記取付装置は、
前記ドラムに固定されるベースと、
前記ベースに組み付けられ、前記設置物に設けられた柱状物に固定される固定部材とを備え、
前記ベースと前記固定部材とが、前記ドラムのシェルの軸線と直交する水平軸線周りに相対回動可能に連結されている、ドラム。
【発明の詳細な説明】
【技術分野】
【０００１】
本発明は、タム等のドラムをバスドラムやスタンド等に取り付けるためのドラムの取付装置、及びドラムに関する。
【背景技術】
【０００２】
タム等のドラムは、演奏者がスティックを用いてドラムヘッドを叩打することで演奏される。このとき、ドラムヘッドが叩打される方向に合わせてドラム全体が揺れると、叩打したときの感触が良くなり、ドラムの音質や響きも良くなる。また、ドラムヘッドを叩打したときに生じる振動がシェルからホルダやスタンドへと逃げないようにすることで、ドラムの音質や響きは更に良くなる。
【０００３】
特許文献１に開示のブラケットは、ロッド挟持部と、ロッド挟持部に一体化された上下一対の振動吸収座部と、各振動吸収座部に埋設されたプレートと、プレートに固定されたボルトとを備えている。このブラケットは、シェルの外周面に上下一対の振動吸収座部を密着させた状態で、シェルの内側からナットをボルトに締め付けることによって固定されている。
【０００４】
特許文献２に開示のブラケットは、シェルの外周面に固定された複数のラグのうちの一つと、そのラグに装着されたロッド挟持部材と、そのラグとロッド挟着部材との間に介装された振動絶縁部材とを備えている。振動絶縁部材は、第一座金要素と第二座金要素とからなる。第一座金要素及び第二座金要素は、ラグとロッド挟持部材とを連結する水平ピン及び垂直ピンにそれぞれ係合している。
【０００５】
特許文献３に開示のブラケットは、シェルの外周面に間隔を空けて設けた複数の金具と上側フープとにラグボルトによって取り付けられた円弧状のアームを備えている。アームの中央からは、平面四角形状のプレート部が下方に延びている。また、プレート部には、ゴム部材を介して、ロッドが固定される四角柱状のコネクタが固定されている。
【０００６】
また、図７に示すブラケット７０は、略Ｕ字状をなす金属製の本体部７１と、本体部７１に装着されたロッド挟持部７２とを備えている。ブラケット７０は、シェルＳの外周面に本体部７１を当接させた状態で、一対の取付ネジによってシェルＳに内側から固定されている。
【先行技術文献】
【特許文献】
【０００７】
【特許文献１】米国特許第５０４６７００号明細書
【特許文献２】米国特許第９６１３６０３号明細書
【特許文献３】米国特許第４１５８９８０号明細書
【発明の概要】
【０００８】
しかしながら、特許文献１及び特許文献３のブラケットはいずれも、ドラムヘッドが叩打される叩打方向に合わせてドラム全体を揺らすように構成されていない。つまり、両文献のブラケットは、ドラムの振動方向を叩打方向に制御するように構成されていない。このようなブラケットを用いてドラムをホルダやスタンドに取り付けた場合、演奏者がドラムヘッドを連打したときに、ドラムヘッドの打面の位置が安定しない。このため、ドラムの演奏がし難い。また、ドラムの音にうねりが生じて、ドラムの音質が悪くなる。
【０００９】
特許文献２のブラケットの場合、水平ピンと係合した第一座金要素によって水平方向のドラムの揺れだけでなく、垂直ピンと係合した第二座金要素によって垂直方向のドラムの揺れも規制されてしまう。このため、ドラム全体がいずれの方向にも揺れ難くなることから、ドラムヘッドを叩打したときの感触や、ドラムの音質や響きが良くない。
【００１０】
これに対し、図７に示すブラケット７０を用いてドラムをホルダやスタンドに取り付けた場合、本体部７１の形状が略Ｕ字状であることから、ドラムヘッドが叩打される方向に合わせてドラム全体を揺らすことは可能である。しかしながら、この場合、本体部７１が金属製であるため、ドラム全体の揺れは小さい。また、ブラケット７０は、ドラムの振動方向を十分に制御できないため、ドラムの音質や響きを良くするのに不十分である。また、ブラケット７０は振動吸収部材を有していないため、ドラムからの振動が金属製の本体部７１を通じてホルダやスタンドへと逃げ易い。
【発明が解決しようとする課題】
【００１１】
本発明の目的は、ドラムを叩打したときの感触や、ドラムの音質や響きを良くすることのできるドラムの取付装置及びドラムを提供することにある。
【課題を解決するための手段】
【００１２】
上記の目的を達成するために、請求項１に記載の発明は、ドラムが設置される設置物にドラムを取り付けるためのドラムの取付装置であって、ドラムに固定されるベースと、ベースに組み付けられ、設置物に設けられた柱状物に固定される固定部材とを備え、ベースと固定部材とが、ドラムのシェルの軸線と直交する水平軸線周りに相対回動可能に連結されていることを要旨とする。
【００１３】
この構成によれば、ベースと固定部材とを水平軸線周りに相対回動可能に連結したことで、ドラム全体を、ドラムが叩打される叩打方向に合わせて、水平軸線周りに振動させることができる。また、この場合、ドラムの振動方向が叩打方向に制御されることで、ドラムの音にうねりが生じ難くなる。よって、ドラムの振動方向を制御できない従来の取付装置を用いてドラムを取り付けた場合と比較して、ドラムを叩打したときの感触や、ドラムの音質や響きを良くすることができる。
【００１４】
請求項２に記載の発明は、請求項１に記載の発明において、ベースと固定部材とを連結すると共に水平軸線に沿って延びるシャフトを備えることを要旨とする。
この構成によれば、シャフトによって、ドラム全体を、ドラムが叩打される叩打方向に合わせて、水平軸線周りに確実に振動させることができる。つまり、ドラムの振動方向を叩打方向に制御することが容易になる。このため、ドラムを叩打したときの感触や、ドラムの音質や響きをより一層良くすることができる。
【００１５】
請求項３に記載の発明は、請求項１又は２に記載の発明において、ベースと固定部材との間に配置された振動吸収部材を備えることを要旨とする。
この構成によれば、ベースと固定部材との間に配置された振動吸収部材によって、ドラムを叩打したときに生じる振動を吸収して、ドラムからの振動を設置物へ逃げないようにすることができる。よって、ドラムの音質や響きを更に良くすることができる。
【００１６】
請求項４に記載の発明は、請求項３に記載の発明において、水平軸線は、ベース及び固定部材の各上部に位置し、振動吸収部材は、水平軸線よりも下方に配置されていることを要旨とする。
【００１７】
この構成によれば、水平軸線の位置をベース及び固定部材の各上部に設定したことで、水平軸線周りのベースと固定部材との相対回動が容易になる。このため、ドラムを、ドラムが叩打される叩打方向に合わせて、水平軸線周りに適度に振動させることができる。また、振動吸収部材は、水平軸線よりも下方に配置されることで、ベース及び固定部材の非連結部分に取り付けられる。このため、振動吸収部材によって、ドラムからの振動を効率良く吸収することもできる。
【００１８】
請求項５に記載の発明は、請求項４に記載の発明において、振動吸収部材は、複数の振動吸収部材のうちの一つであり、複数の振動吸収部材は、水平軸線よりも下方に配置される第１振動吸収部材と、水平軸線とベースとの間及び水平軸線と固定部材との間の少なくともいずれか一方に配置される第２振動吸収部材とを含むことを要旨とする。
【００１９】
この構成によれば、第１振動吸収部材を水平軸線よりも下方に配置しただけでなく、第２振動吸収部材を水平軸線とベースとの間及び水平軸線と固定部材との間の少なくともいずれか一方にも配置したことで、取付装置の全体で、ドラムからの振動を吸収することができる。よって、ドラムからの振動をより一層効率良く吸収することができる。
【００２０】
請求項６に記載の発明は、請求項５に記載の発明において、振動吸収部材は、弾性材料からなり、第１振動吸収部材の硬度は、第２振動吸収部材の硬度よりも低いことを要旨とする。
【００２１】
この構成によれば、振動吸収部材を弾性材料から形成したことで、ドラムからの振動を更に効率良く吸収することができる。また、相対的に高い硬度の第２振動吸収部材を取付装置の上部に配置し、相対的に低い硬度の第１振動吸収部材を取付装置の下部に配置したことで、水平軸線周りのベースと固定部材との相対回動が更に容易になる。このため、ドラムを、ドラムが叩打される叩打方向に合わせて、水平軸線周りに適度に振動させることが容易になる。
【００２２】
請求項７に記載の発明は、請求項５又は６に記載の発明において、第２振動吸収部材は、水平軸線の軸方向に離間した左右一対の振動吸収部を有していることを要旨とする。
この構成によれば、相対的に高い硬度の第２振動吸収部材が左右一対の振動吸収部を有することで、水平軸線に対して平行又は斜めに揺れるドラムの振動を規制することができる。このため、ドラムの振動方向を叩打方向に制御することが更に容易になる。
【００２３】
請求項８に記載の発明は、請求項１〜７のうちいずれか一項に記載の発明において、水平軸線と同位置又は水平軸線よりも上方に位置するベース及び固定部材の各部分が接近して、水平軸線周りのベース及び固定部材の相対回動を規制する規制部を備えることを要旨とする。
【００２４】
この構成によれば、水平軸線と同位置又は水平軸線よりも上方に位置するベース及び固定部材の各部分が接近して、水平軸線周りのベース及び固定部材の相対回動が規制される。これにより、固定部材は、設置物の柱状物によって下から突き当てられても、ベースに対して回動しなくなる。よって、柱状物に固定部材を固定する作業が容易に行えると共に、設置物へのドラムの取付作業も容易に行える。
【００２５】
上記の目的を達成するために、請求項９に記載の発明は、ドラムであって、ドラムが設置される設置物にドラムを取り付けるための取付装置を備え、取付装置は、ドラムに固定されるベースと、ベースに組み付けられ、設置物に設けられた柱状物に固定される固定部材とを備え、ベースと固定部材とが、ドラムのシェルの軸線と直交する水平軸線周りに相対回動可能に連結されていることを要旨とする。
【００２６】
この構成によれば、請求項１に係る発明と同等の作用効果を奏することができる。
【発明の効果】
【００２７】
本発明によれば、ドラムを叩打したときの感触や、ドラムの音質や響きを良くすることができる。
【図面の簡単な説明】
【００２８】
【図１】本発明の一実施形態に係るブラケットを備えたドラムの斜視図。
【図２】ブラケットの分解斜視図。
【図３】ブラケットの縦断面図。
【図４】ブラケットの正面図。
【図５】図４の５−５線に沿った断面図。
【図６】図４の６−６線に沿った断面図。
【図７】従来のブラケットを備えたドラムの斜視図。
【発明を実施するための形態】
【００２９】
以下、本発明に係るドラムの取付装置を具体化した一実施形態について、図１〜図６を参照して説明する。
図１に示すように、ドラムＤは、円筒状のシェルＳと、シェルＳの開口端を塞ぐドラムヘッドＤＨと、シェルＳの開口端の周囲に装着されるフープＨとを備えている。また、ドラムＤは、シェルＳの外周面に固定された複数のラグＬと、複数のラグＬのそれぞれに螺着された複数のラグボルトＬＢとを備えている。ラグボルトＬＢを締め付けることで、フープＨと共にドラムヘッドＤＨがシェルＳの開口端に固定される。また、ラグボルトＬＢの締付け量を調整することで、ドラムヘッドＤＨの張力が変更される。
【００３０】
また、ドラムＤは、取付装置としてのブラケット１０を備えている。ブラケット１０は、ラグＬやラグボルトＬＢから独立したドラムパーツである。このため、ブラケット１０は、シェルＳの外周面において、ラグＬやラグボルトＬＢから離れた位置に固定されている。ドラムＤは、ブラケット１０を介して、設置物としてのバスドラムやスタンド等に取り付けられる。このとき、ブラケット１０は、バスドラムに固定されたホルダのロッド部分Ｒや、ドラムスタンドのロッド部分Ｒに固定される。尚、柱状物であるロッド部分Ｒには、ドラムＤの取付位置を記憶しておくために、メモリロックＭＬが取り付けられている。
【００３１】
図２及び図３に示すように、ブラケット１０は、シェルＳの外周面に固定されるベース１２と、ロッド部分Ｒに固定される固定部材１３と、ベース１２と固定部材１３とを連結するシャフト１４と、固定部材１３をロッド部分Ｒに固定するための固定具とを備えている。固定具は、ネジ１５と、ネジ１５に螺合される蝶ナット１６とからなる。ネジ１５の基端部には、縦孔１５ａを有する直方体状のブロック体１５ｂが形成されている。
【００３２】
また、ブラケット１０は、ベース１２と固定部材１３との間に振動吸収部材を備えることで、ドラムＤを叩打したときに生じる振動を吸収可能に構成されている。ブラケット１０は、振動吸収部材として、円筒状をなす一つの第１振動吸収部材１７と、略Ｌ字状をなす左右一対の第２振動吸収部材１８Ｌ，１８Ｒとを備えている。第１振動吸収部材１７の硬度は、第２振動吸収部材１８Ｌ，１８Ｒの硬度よりも低くなっている。第１振動吸収部材１７及び第２振動吸収部材１８Ｌ，１８Ｒには、例えば、ポリウレタン、ゴム又はエラストマー等の弾性材料が用いられる。
【００３３】
ベース１２は、縦長の矩形枠状に形成されている。ベース１２は、固定部材１３との連結部分を構成する上部２１と、上部２１から下方に延びる一対の柱状部２２と、両柱状部２２の下端を連結する下部２３とを備えている。上部２１と下部２３とには、シェルＳの内側に向けて突出したねじ部２１ｄ，２３ｄがそれぞれ形成されている。ベース１２は、シェルＳの内側から押え板ＰＢ及びシェルＳを貫通したボルトＢがねじ部２１ｄ，２３ｄにそれぞれ締め付けられることで、シェルＳの外周面に固定されている。
【００３４】
図３〜図５に示すように、上部２１には、シャフト１４が挿通される挿通孔２１ａが形成されている。挿通孔２１ａは、上部２１を水平方向に貫通している。挿通孔２１ａは、シャフト１４の直径よりも大きい直径を有し、シャフト１４と同軸上に配置されている。このため、シャフト１４は、挿通孔２１ａの内周面との間に距離を空けて、挿通孔２１ａの内側に配置されている。例えば、挿通孔２１ａの内周面とシャフト１４の外周面との間の距離は、シャフト１４の直径の半分程度の寸法に設定されている。また、上部２１の両側部には、第２振動吸収部材１８Ｌ，１８Ｒが装着される装着穴２１ｂがそれぞれ形成されている。装着穴２１ｂは、挿通孔２１ａの直径よりも大きい直径を有している。また、装着穴２１ｂは、挿通孔２１ａに連通すると共に、挿通孔２１ａと同軸上に形成されている。
【００３５】
図２及び図３に示すように、下部２３の中央には、第１振動吸収部材１７が装着される一つの装着穴２３ｂが形成されている。装着穴２３ｂは、第１振動吸収部材１７の全体を嵌め込み可能とするため、第１振動吸収部材１７と略同一寸法を有する円環状に形成されている。また、装着穴２３ｂには、第１振動吸収部材１７の中央孔１７ａに挿通される突起２３ｃが形成されている。
【００３６】
固定部材１３は、ベース１２との連結部及びホルダやドラムスタンドのロッド部分Ｒとの固定部を構成する主部３１と、主部３１から下方に延びる下部３３とを備えている。固定部材１３は、主部３１がベース１２の上部２１及び柱状部２２に、下部３３がベース１２の下部３３にそれぞれ組み付けられるように形成されている。また、固定部材１３は、ロッド部分Ｒに取り付けられたメモリロックＭＬを配置可能な凹部３４を有している。
【００３７】
図２及び図５に示すように、主部３１は、ベース１２に連結される左右一対のアーム３１ａを有している。アーム３１ａには、シャフト１４が挿通される挿通孔３１ｂがそれぞれ形成されている。挿通孔３１ｂは、シャフト１４とほぼ同径の直径を有している。両アーム３１ａには、挿通孔３１ｂに連通するネジ孔３１ｃがそれぞれ形成されている。左右一対のネジ３６は、ネジ孔３１ｃにそれぞれ締め付けられることで、シャフト１４の軸線Ｃ１と直交する方向から、固定部材１３をシャフト１４に固定している。
【００３８】
図２及び図３に示すように、主部３１の上壁には、ロッド部分Ｒが挿通される縦孔３１ｄが形成されている。主部３１の内部には、ネジ１５のブロック体１５ｂが収容される収容空間３１ｅが形成されている。主部３１の前壁には、ネジ１５の先端部が挿通される開口３１ｆが形成されている。開口３１ｆは、横長の矩形状に形成され、主部３１の前壁中央から左右両方向に延びている。開口３１ｆは、ネジ１５の先端部の直径よりも少し大きい幅を有している。
【００３９】
図３〜図６に示すように、主部３１の下部内周面において、ロッド部分Ｒの外周面と対向する部分には、凹部３１ｇが形成されている。凹部３１ｇは、シャフト１４の外周面の一部と一致するように、断面円弧状の内周面を有している。また、ネジ１５は、ブロック体１５ｂの縦孔１５ａを主部３１の縦孔３１ｄとほぼ一致させると共に先端部を開口３１ｆから突出させた状態で、主部３１の収容空間３１ｅに収容されている。この状態で、ネジ１５の先端部に螺合された蝶ナット１６を締め付けることにより、ロッド部分Ｒがブロック体１５ｂにより主部３１の凹部３１ｇに押し付けられることによって、固定部材１３がロッド部分Ｒに固定される。
【００４０】
下部３３は、第１振動吸収部材１７の前面が当接される装着穴３３ａを有している。装着穴３３ａは、ベース１２の装着穴２３ｂと対応する位置に形成されている。また、下部３３は、主部３１の下部外面と共に、メモリロックＭＬが配置される凹部３４を形成している。
【００４１】
シャフト１４は、その軸線Ｃ１を水平方向に向けて、ベース１２及び固定部材１３に組み付けられている。また、シャフト１４は、ベース１２の挿通孔２１ａ及び装着穴２１ｂと、固定部材１３の一対の挿通孔３１ｂとに挿通されている。これらにより、シャフト１４は、ベース１２と固定部材１３とを、水平軸線周りに相対回動可能に連結している。このため、ベース１２と固定部材１３との相対回動中心となる水平軸線は、シャフト１４の軸線Ｃ１と一致している。水平軸線は、図１に示すドラムＤの円筒状をなすシェルＳの軸線と直交している。また、水平軸線は、ベース１２の上部２１の中央付近に位置しており、固定部材１３の主部３１の上端付近に位置している。
【００４２】
図２及び図５に示すように、第２振動吸収部材１８Ｌ，１８Ｒは、左右対称である以外は、同一形状及び同一寸法をそれぞれ有している。第２振動吸収部材１８Ｌ，１８Ｒは、ベース１２の装着穴２１ｂに装着される略半円柱状の肉厚部１８ａと、肉厚部１８ａよりも薄い板状の肉薄部１８ｂとを有している。肉厚部１８ａの中央には、シャフト１４が挿通される挿通孔１８ｃが形成されている。第２振動吸収部材１８Ｌ，１８Ｒは、肉厚部１８ａの挿通孔１８ｃをベース１２の装着穴２１ｂと同軸上に配置しかつ肉薄部１８ｂの先端を対向させるようにして、ベース１２の左側と右側とにそれぞれ装着されている。即ち、第２振動吸収部材１８Ｌ，１８Ｒは、シャフト１４の軸線Ｃ１の周辺にそれぞれ配置されると共に、ベース１２の上部２１を左右両方向から覆うように装着されている。
【００４３】
この状態で、第２振動吸収部材１８Ｌ，１８Ｒは、ベース１２の装着穴２１ｂに装着された肉厚部１８ａを、シャフト１４の軸方向に離間した左右一対の振動吸収部として有している。このとき、肉厚部１８ａは、シャフト１４の軸線Ｃ１とベース１２との間に配置されている。また、肉薄部１８ｂは、その一部をベース１２の外面に密着させた状態で、シャフト１４の軸線Ｃ１と固定部材１３との間に配置されている。一方、第１振動吸収部材１７は、シャフト１４の軸線Ｃ１よりも下方に配置されている。
【００４４】
図３に示すように、ブラケット１０は、更に、シャフト１４の軸線Ｃ１周りのベース１２及び固定部材１３の相対回動を規制する規制部５０を備えている。規制部５０は、ベース１２の上縁部１２ｄ及び固定部材１３の上縁部１３ｄと、両上縁部１２ｄ，１３ｄ間に配置された第２振動吸収部材１８Ｒ，１８Ｌの上縁部１８ｄとからなる。上記各上縁部１２ｄ，１３ｄ，１８ｄはいずれも、シャフト１４の軸線Ｃ１よりも上方に位置している。
【００４５】
ベース１２の上縁部１２ｄは、断面略三角形をなす突条として形成されている。また、固定部材１３の上縁部１３ｄも、突条からなり、ベース１２の上縁部１２ｄと対応するように形成されている。ベース１２の上縁部１２ｄ及び固定部材１３の上縁部１３ｄは、一定の距離を空けてそれぞれ配置されることで、それらの間に、第２振動吸収部材１８Ｒ，１８Ｌの上縁部１８ｄが配置されるスペースを形成している。
【００４６】
ブラケット１０は、規制部５０を有することで、ベース１２及び固定部材１３の両上縁部１２ｄ，１３ｄが接近して第２振動吸収部材１８Ｌ，１８Ｒの上縁部１８ｄを挟んでから動かなくなるように構成されている。つまり、ブラケット１０は、規制部５０によって、シャフト１４の軸線Ｃ１周りのベース１２及び固定部材１３の所定量以上の相対回動を規制するように構成されている。
【００４７】
次に、上記のブラケット１０の作用について、図３〜図５を参照して説明する。
図３〜図５に示すように、シャフト１４は、ベース１２と固定部材１３とを、シャフト１４の軸線Ｃ１周りに相対回動可能に連結している。つまり、シャフト１４は、ベース１２と固定部材１３とを、シェルＳの軸線と直交する水平軸線周りに相対回動可能に連結している。このようにすれば、ドラムＤを叩打したときに生じる振動は、シャフト１４の軸線Ｃ１と一致する水平軸線周りの回動方向に制御される。つまり、ドラムＤの振動方向は、ドラムＤが叩打される叩打方向に制御される。このため、ドラムＤの音にうねりが生じ難くなる。
【００４８】
また、第２振動吸収部材１８Ｌ，１８Ｒは、ベース１２の左側と右側とにそれぞれ装着されている。この状態で、肉厚部１８ａは、シャフト１４の軸線Ｃ１とベース１２との間に配置され、肉薄部１８ｂは、シャフト１４の軸線Ｃ１と固定部材１３との間に配置されている。更に、第１振動吸収部材１７は、ベース１２の装着穴２３ｂに装着されることで、シャフト１４の軸線Ｃ１よりも下方に配置されている。このようにすれば、ドラムＤを叩打したときに生じる振動は、シェルＳからブラケット１０に伝達されると、第１振動吸収部材１７と第２振動吸収部材１８Ｌ，１８Ｒとによって吸収される。
【００４９】
従って、本実施形態によれば、以下のような効果を得ることができる。
（１）シャフト１４は、ベース１２と固定部材１３とを、シェルＳの軸線と直交する水平軸線周りに相対回動可能に連結している。この構成によれば、ドラムＤの演奏時、ドラムＤの全体を、ドラムＤが叩打される叩打方向に合わせて、水平軸線周りに振動させることができる。また、この場合、ドラムＤの振動方向が叩打方向に制御されることで、ドラムＤの音にうねりが生じ難くなる。よって、ドラムＤの振動方向を制御できない従来の取付装置を用いてドラムＤを取り付けた場合と比較して、ドラムＤを叩打したときの感触や、ドラムＤの音質や響きを良くすることができる。又、この場合、シャフト１４によりベース１２と固定部材１３とを相対回動可能に連結したため、ドラムＤの全体を、ドラムＤが叩打される叩打方向に合わせて、水平軸線周りに確実に振動させることができる。
【００５０】
（２）ブラケット１０は、ベース１２と固定部材１３との間に、第１振動吸収部材１７と、一対の第２振動吸収部材１８Ｌ，１８Ｒとを備えている。この構成によれば、ベース１２と固定部材１３との間に配置された第１振動吸収部材１７及び第２振動吸収部材１８Ｌ，１８Ｒによって、ドラムＤを叩打したときに生じる振動を吸収して、ドラムＤからの振動をホルダやドラムスタンド等の設置物へ逃げないようにすることができる。よって、ドラムＤの音質や響きを更に良くすることができる。
【００５１】
（３）ベース１２と固定部材１３との相対回動中心となる水平軸線は、ベース１２及び固定部材１３の各上部に位置している。また、第１振動吸収部材１７は、シャフト１４の軸線Ｃ１よりも下方に配置されている。この構成によれば、水平軸線の位置を固定部材１３の上部２１とベース１２の主部３１の上端付近とに設定したことで、水平軸線周りのベース１２と固定部材１３との相対回動が容易になる。このため、ドラムＤを、ドラムＤが叩打される叩打方向に合わせて、水平軸線周りに適度に振動させることができる。また、この場合、第１振動吸収部材１７は、水平軸線よりも下方に配置されることで、ベース１２及び固定部材１３の非連結部分に取り付けられる。このため、第１振動吸収部材１７によって、ドラムＤからの振動を効率良く吸収することもできる。
【００５２】
（４）第２振動吸収部材１８Ｌ，１８Ｒは、ベース１２の左側と右側とにそれぞれ装着されている。この状態で、第２振動吸収部材１８Ｌ，１８Ｒの肉厚部１８ａは、シャフト１４の軸線Ｃ１とベース１２との間に配置されている。また、第２振動吸収部材１８Ｌ，１８Ｒの肉薄部１８ｂは、シャフト１４の軸線Ｃ１と固定部材１３との間に配置されている。この構成によれば、第１振動吸収部材１７を水平軸線よりも下方に配置しただけでなく、第２振動吸収部材１８Ｌ，１８Ｒを、水平軸線とベース１２との間及び水平軸線と固定部材１３との間の両方に配置している。このようにすることで、ブラケット１０の全体で、ドラムＤからの振動を吸収することができる。よって、ドラムＤからの振動をより一層効率良く吸収することができる。
【００５３】
（５）第１振動吸収部材１７及び第２振動吸収部材１８Ｌ，１８Ｒはいずれも、弾性材料から形成されている。これにより、ドラムＤからの振動を更に効率良く吸収することができる。また、第１振動吸収部材１７の硬度は、第２振動吸収部材１８Ｌ，１８Ｒの硬度よりも低くなっている。この構成によれば、相対的に高い硬度の第２振動吸収部材１８Ｌ，１８Ｒをブラケット１０の上部に配置し、相対的に低い硬度の第１振動吸収部材をブラケット１０の下部に配置したことで、水平軸線周りのベース１２と固定部材１３との相対回動が更に容易になる。このため、ドラムＤを、ドラムＤが叩打される叩打方向に合わせて、水平軸線周りに適度に振動させることが更に容易になる。
【００５４】
（６）第２振動吸収部材１８Ｌ，１８Ｒは、ベース１２の装着穴２１ｂに装着された肉厚部１８ａを、シャフト１４の軸方向に離間した左右一対の振動吸収部として有している。この構成によれば、相対的に高い硬度の第２振動吸収部材１８Ｌ，１８Ｒが左右一対の振動吸収部を有することにより、水平軸線に対して平行又は斜めに揺れるドラムＤの振動を規制することができる。このため、ドラムＤの振動方向を叩打方向に制御することが容易になる。
【００５５】
（７）ブラケット１０は、シャフト１４の軸線Ｃ１周りのベース１２及び固定部材１３の相対回動を規制する規制部５０を備えている。規制部５０は、ベース１２及び固定部材１３の両上縁部１２ｄ，１３ｄが接近して第２振動吸収部材１８Ｌ，１８Ｒの上縁部１８ｄを挟んでから動かなくなるように構成されている。このため、固定部材１３は、ホルダやドラムスタンドのロッド部分Ｒによって下から突き当てられても、ベース１２に対して回動しなくなる。これにより、ロッド部分Ｒに固定部材１３を固定する作業が容易に行えると共に、ホルダやドラムスタンドにドラムＤを取り付ける作業も容易に行える。
【００５６】
（８）開口３１ｆは、横長の矩形状に形成され、主部３１の前壁中央から左右両方向に延びている。この構成によれば、蝶ナット１６を、ネジ１５と共に、主部３１の前壁中央から左右両方向に動かすことができる。このように、蝶ナット１６の位置を変えることで、ブラケット１０の左側からでも右側からでも、蝶ナット１６を締め付けたり緩めたりすることができる。
【００５７】
なお、本実施形態は、以下のように変更してもよい。
・ブラケット１０からシャフト１４を省略してもよい。この場合、ベース１２と固定部材１３とに連結部をそれぞれ設け、ベース１２と固定部材１３とを相対回動可能に直接連結してもよい。例えば、連結部を、円柱状の突部と、突部を回動可能に保持する孔や凹部や筒部とから構成してもよい。
【００５８】
・第１振動吸収部材１７及び第２振動吸収部材１８Ｌ，１８Ｒのうちいずれか一方を、又は両方を省略してもよい。また、振動吸収部材の形状、配置位置、及び数等は、必要に応じて、適宜変更してもよい。
【００５９】
・第１振動吸収部材１７の硬度は、第２振動吸収部材１８Ｌ，１８Ｒの硬度と同じであってもよい。
・シャフト１４の軸線Ｃ１よりも上方に位置するベース１２、固定部材１３及び第２振動吸収部材１８Ｌ，１８Ｒの上縁部１２ｄ，１３ｄ，１８ｄから規制部５０を構成した。これに代えて、シャフト１４の軸線Ｃ１と同位置のベース１２、固定部材１３及び第２振動吸収部材１８Ｌ，１８Ｒの各部分から規制部５０を構成してもよい。また、第２振動吸収部材１８Ｌ，１８Ｒを省略し、ベース１２及び固定部材１３のみから規制部５０を構成してもよい。
【００６０】
・第１振動吸収部材１７及び第２振動吸収部材１８Ｌ，１８Ｒには、弾性材料に代えて、スプリングやバネ等の弾性部品を用いてもよい。また、スプリングとバネとを組み合わせて、第１振動吸収部材１７及び第２振動吸収部材１８Ｌ，１８Ｒを構成してもよい。
【００６１】
・本発明のブラケット１０は、ドラムＤのシェルＳではなく、フープＨやラグＬ等、ドラムＤの任意の箇所に取り付けられるように構成してもよい。
・本発明のブラケット１０は、ロッド部分Ｒに固定されるドラムであれば、任意のドラムに適用してもよい。
【符号の説明】
【００６２】
Ｄ…ドラム、Ｒ…ロッド部分（柱状物）、１０…ブラケット（取付装置）、Ｓ…シェル、１２…ベース、１３…固定部材、１４…シャフト、１７…第１振動吸収部材、１８Ｌ，１８Ｒ…第２振動吸収部材、１８ａ…肉厚部（振動吸収部）、１２ｄ，１３ｄ，１８ｄ…上縁部（規制部）、５０…規制部。
【図１】
2019040122.tif 000003
【図２】
2019040122.tif 000004
【図３】
2019040122.tif 000005
【図４】
2019040122.tif 000006
【図５】
2019040122.tif 000007
【図６】
2019040122.tif 000008
【図７】
2019040122.tif 000009